(57)【要約】【課題】本発明は簡便な構造で港内外、特に湾内底部と港外の海水交換機能に優れた海水交換型防波堤を提供する。【解決手段】提体に港内外を連通する第１の導水経路を設け、該導水経路の港外側の端部開口部を押し波、引き波の水平方向の流れにより負圧が生じる水平面上に、他端の開口部を湾内底部に設け、更に前記面上に前記開口部と交互に凸部を配置し、更に前記面上の開口部の後方に壁体により内室を設け、該内室と港内を更に第２の導水経路で連通する。または提体の港外側に海水面の上下に亘る開口部を有する内室を設け、前記内室内の押し波、引き波の水平方向の流れによる負圧が生じる水平面上に第１の導水経路の端部開口部を備え、更に、前記内室内に壁体により分室を設け、該内室内分室と港内を連通する第２の導水経路を設ける。【選択図】    図１
2004204645.tif 000002
【特許請求の範囲】
【請求項１】
港内外を結ぶ導水経路により海水の交換を行う防波堤であって、押し波、引き波の水平方向の流れにより負圧が生じる水平面上に第１の導水経路の港外側端部開口部を設けた海水交換型防波堤。
【請求項２】
前記面上に前記端部開口部と交互に凸部が配置されている請求項１記載の海水交換型防波堤。
【請求項３】
前記面上の開口部の後方に壁体により内室を設け、該内室と港内を更に第２の導水経路で連通する請求項１または２記載の海水交換型防波堤。
【請求項４】
港外側に海水面の上下に亘る開口部を有する内室と、前記内室内の海寄り側で押し波、引き波の水平方向の流れによる負圧が生じる水平面上に港外側端部開口部を有する第１の導水経路を備えた提体を有する海水交換型防波堤。
【請求項５】
更に、前記内室内に壁体により分室を設け、該内室内分室と港内を連通する第２の導水経路を設けた請求項４記載の海水交換型防波堤。
【請求項６】
第１の導水経路の港内側端部開口部を港内の湾底近傍としたことを特徴とする請求項１ないし５のいずれか一つに記載した海水交換型防波堤。
【発明の詳細な説明】
【０００１】
【発明の属する技術分野】
本発明は、港内外で海水循環が可能な防波堤に関し、特に港内の湾底近傍のように循環性におとる部分の海水と港外の海水との交換が容易で海水の循環性に優れたものに関する。
【０００２】
【従来の技術】
防波堤は港内水域を静穏にすることが目的のため、海水の循環交換性が低く、従来より水質悪化が問題となってきた。
【０００３】
そこで防波堤の提体に海水透過機能を付加し、港内と港外の海水を交換することが提案されてきた。
【０００４】
図５は、防波堤の港外と港内を導水管で連通し、潮汐や潮流により海水の循環交換を行うことを提案している（従来技術１）。
【０００５】
図６は、防波堤の港外側前面に潜提を設け、該潜提上での砕波により防波堤の港外側前面で水位を上昇させ、導水管により港内へ一方向流で港外の海水を導入することを提案している（従来技術２）。
【０００６】
また、特許文献１、特許文献２、および特許文献３には防波堤の提体に港内外の海水を連通するようスリットを有し、更に鉛直壁により海水交換の効率を向上させた遊水室を設けた海水交換型防波堤が開示されている。
【０００７】
【特許文献１】特開平９−３１９３７号公報
【０００８】
【特許文献２】特開平９−４１３４１号公報、
【０００９】
【特許文献３】特開平１１−１２４８２９号公報
【００１０】
【発明が解決しようとする課題】
このように、従来提案されてきたものは港外の海水を導入するため提体に港内外を連通する導水管や、スリットを設けているが、主に港外から港内への海水の移動を促進するもので、港内から港外への海水の移動は十分でなく、また、水面付近に開口部が設けられているため、海面からの酸素供給が乏しく溶存酸素量が少ない湾底部近傍では海水循環が不十分となりやすく水質悪化が懸念されてきた。
【００１１】
特に、夏季において、表層では海水温が高く比重が小さくなり、一方、内層、湾庭に近い領域では海水温が上昇せず、相対的に比重が大きくなるため双方の海水が混合しない成層状態となり、従来の方法で港外から海水を導入しても十分に水質を改善することができなかった。
【００１２】
そこで、本発明では、比較的水温が低く鉛直混合し難い湾底部近傍にも港外の新鮮な海水を安定して効率良く供給し、港内の水質悪化を防止する防波堤を提供する。
【００１３】
【課題を解決するための手段】
本発明者らは、潮汐や潮流でなく波動に着目し、波運動における水平方向の流れによって生じる圧力低下（負圧）を港内外の海水循環に利用することを検討し、本発明の完成に至った。
【００１４】
すなわち、本発明は
１．港内外を結ぶ導水経路により海水の交換を行う防波堤であって、押し波、引き波の水平方向の流れにより負圧が生じる水平面上に第１の導水経路の港外側端部開口部を設けた海水交換型防波堤。
【００１５】
２．前記面上に前記開口部と交互に凸部が配置されている１記載の海水交換型防波堤。
【００１６】
３．前記面上の開口部の後方に壁体により内室を設け、該内室と港内を更に第２の導水経路で連通する１または２記載の海水交換型防波堤。
【００１７】
４．港外側に海水面の上下に亘る開口部を有する内室と、前記内室内の海寄り側で押し波、引き波の水平方向の流れによる負圧が生じる水平面上に港外側端部開口部を有する第１の導水経路を備えた提体を有する海水交換型防波堤。
【００１８】
５．更に、前記内室内に壁体により分室を設け、該内室内分室と港内を連通する第２の導水経路を設けた４記載の海水交換型防波堤。
【００１９】
６．第１の導水経路の港内側端部開口部を港内の湾底近傍としたことを特徴とする１ないし５のいずれか一つに記載した海水交換型防波堤。
【００２０】
【発明の実施の形態】
実施例を基に本発明について詳細に説明する。
図１は本発明の一実施例を示すもので、防波堤の断面を示している。
提体１は、港外側の海水面下に押し波、引き波の水平方向の流れにより負圧が生じる面として水平面２を有し、該水平面２に導水経路（第１の導水経路）を構成する第１の導水管３の端部が開口（港外側開口部４）している。第１の導水管３の他端は港内の湾底近傍に開口（港内側開口部５）し、該導水管３により港内外は連通している。
【００２１】
提体の水平面２上では水深が浅くなり、港外側の波浪の流速は押し波、引き波ともに増大し、そのため水平面２上に開口する第１の導水管３の港外側開口部４と港内側開口部５との間に港内の海水を吸い出すように圧力差が生じ、該圧力差によって港内外の海水交換が行われる。
【００２２】
上述したように、本発明の海水交換効果は押し波、引き波の水平方向の流速による負圧を利用するもので、波浪の水平方向流速が早くなるほどその負圧は増大するから、▲１▼水平面２を海面下で静水面近傍とすること（但し、水平面の水深が過度に浅くなると防波堤本体への衝撃破砕圧が生じるようになるため、干潮時の静水面から設計有義波高の半分程度とすることが好ましい。）
▲２▼第１の導水管３の端部を押し波、引き波に対する提体の影響が少ない該水平面２の港外寄りに開口させること。▲３▼第１の導水管３の港外側開口部４近傍で押し波、引き波を縮流させることが海水交換効果を向上させるため有効である。
【００２３】
押し波、引き波を縮流させる場合、▲１▼該開口部近傍の水平面上に開口部と交互に凸部により狭隘部を設けること、▲２▼提体に内室を設け、該内室内に第１の導水管３の端部を開口することが提体の構造を複雑とせず施工上有利である。
【００２４】
図２は第１の導水経路を構成する導水管の港外側開口部４と凸部６を交互に配した海水交換型防波堤の一例を断面図、斜視図で示すもので、提体１の前壁７にスリット状の開口部８を設け非開口部を凸部６とし、押し波、引き波が前記開口部８を通過する際の縮流により流速を増大させ、負圧による港内側開口部５からの湾内海水の吸出し効果を更に向上させるものである。
【００２５】
この場合、後壁９により押し波、引き波の流速が影響されるのを避けるため、第１の導水管３の港外側端部は前記スリット状開口部８の港外側に開口させることが望ましい。
【００２６】
更に海水交換を効率良く行うため、他の導水経路（第２の導水経路）を併用し、港外から港内へ直接海水を導入することも可能である。
【００２７】
尚、提体にスリット状開口部を有する防波堤の場合、スリット状開口部による縮流により、消波機能が向上することが知られており（例えば、特許文献３）、本発明を適用することにより海水交換機能に加えて優れた消波機能を併せもつ防波堤が可能となる。
【００２８】
図３は、図２の海水交換型防波堤に他の導水経路（第２の導水経路）を構成する第２の導水管１１を設けたもので、水平面２の第１の導水管３の港外側開口部４の後方の壁体１０を乗り越えた海水を第２の導水管１１により港内に導入し、更に海水交換機能を向上させたものである。
【００２９】
図４は押し波、引き波の流速を増大させるための狭隘部として、港外側に開口部を有する内室１２を提体１内に設け、該内室１２内の海面下の水平面２上に第１の導水管３の端部を開口させた防波堤の斜視図を示すものである。
【００３０】
壁体１０により、内室１２内に分室１３を設け、押し波、引き波の一部を直接分室内に取り込み、港内に第２の導水管１１により導入させる。
【００３１】
図３、４において壁体１０は、その高さを静水面と等しくした場合、導水効果がもっとも大きくなる。
【００３２】
本発明において第１の導水管３の港外側端部が開口する面は波動の水平方向の流れにより負圧が生じる面であれば良く、特にその形状は規定しないが  水平面とした場合、負圧がもっとも大きく、押し波による押し込みも少なく優れた海水循環効果が得られる。
【００３３】
本発明で、第１の導水管３の湾内における開口部５は所望する海水交換能力に応じてその位置を決めることが可能である。湾底近傍に設けると、海水の鉛直混合が効率的となり、水質改善効果が大きい。
【００３４】
また、本発明の説明において導水経路は導水管としたが、丸管、角管などが使用できその形状は問わず、第１、第２の導水経路を構成する導水管の本数は特に規定しない。
【００３５】
管径は貝殻などによる目詰まりを防止し、構造強度を確保するため０．５〜１．５ｍとするのが好ましい。
【００３６】
【発明の効果】
本発明によれば、防波堤本来の機能を失わず、簡便な構造により港内外、特に湾底近傍の海水を効率的に湾外に排出することが可能で、また、従来の海水交換型防波堤と組み合わせ、更に海水交換能力を向上させることが可能であるから環境保全上きわめて有効である。
【図面の簡単な説明】
【図１】本発明の１実施例を示す図
【図２】本発明の他の実施例を示す図
【図３】本発明の他の実施例を示す図
【図４】本発明の他の実施例を示す図
【図５】従来技術１を示す図
【図６】従来技術２を示す図
【符号の説明】
１・・・提体
２・・・水平面
３・・・第１の導水管
４・・・第１の導水管の港外側開口部
５・・・第１の導水管の港内側開口部
６・・・凸部
７・・・前壁
８・・・開口部
９・・・後壁
１０・・・壁体
１１・・・第２の導水管
１２・・・内室
１３・・・分室
【図１】
2004204645.tif 000003
【図２】
2004204645.tif 000004
【図３】
2004204645.tif 000005
【図４】
2004204645.tif 000006
【図５】
2004204645.tif 000007
【図６】
2004204645.tif 000008